(57)【要約】      （修正有）【課題】一般の家庭や飲食店、コンビニ等に容易に設置でき、しかも害虫が効率よく捕獲できる小型の害虫捕獲器を提供する。【解決手段】下面に害虫を誘引する光源１２が取り付けられた上部ケース２と、上部ケースの下方に設けられた下部ケース３と、上下部ケースの間に開口された害虫侵入口４と、下部ケース内に設置された吸引手段５と、筒状ケース６ａを有し、かつ吸引手段により吸入された空気の風圧により開放されると共に、吸引手段の停止とともに閉鎖されるシャッタ板６ｂが筒状ケース内に設けられたシャッタ手段６とガイド手段１３と、筒状ケースの下部に着脱自在に取り付けられ、かつ吸引手段より排出された空気中より害虫を捕獲する通気性を有する捕虫袋１５とから構成されている。【選択図】図２
0003139542.tif 000002
【実用新案登録請求の範囲】
【請求項１】
下面に害虫を誘引する光源が取り付けられた上部ケースと、前記上部ケースの下方に設けられた下部ケースと、前記上下部ケースの間に開口された害虫侵入口と、前記下部ケース内に設置され、かつ前記光源に誘引された害虫を空気とともに吸引する電動ファンよりなる吸引手段と、前記吸引手段の下部に上端部が接続された筒状ケースを有し、かつ前記吸引手段により吸入された空気の風圧により開放されると共に、前記吸引手段の停止とともに閉鎖されるシャッタ板が前記筒状ケース内に設けられたシャッタ手段と、前記害虫侵入口に前記光源を囲むように設けられ、かつ前記害虫侵入口より吸入される空気を前記吸引手段方向へガイドするガイド手段と、前記筒状ケースの下部に着脱自在に取り付けられ、かつ前記吸引手段より排出された空気中より害虫を捕獲する通気性を有する捕虫袋とを具備したことを特徴とする害虫捕獲器。
【請求項２】
前記シャッタ板を軽量な薄板より形成し、かつ前記シャッタ板の偏心位置を回転軸に固着して、前記回転軸を中心に前記シャッタ板が回動するよう前記回転軸の両端側を前記筒状ケースに支承すると共に、前記シャッタ板の偏心側に、前記シャッタ板を水平方向へ復帰させるバランサを設けてなる請求項１に記載の害虫捕獲器。
【請求項３】
前記ガイド手段を、中心側へ順次低く傾斜するテーパ面を有する複数の環状ガイド板と、前記ガイド板を支持する複数の支柱より形成し、かつ前記各ガイド板を指が入りにくい間隔で前記支柱に固着してなる請求項１または２に記載の害虫捕獲器。
【請求項４】
前記下部ケースに、前記捕虫袋の周囲を覆う蛇腹状のカバーを設けてなる請求項１ないし３の何れかに記載の害虫捕獲器。
【考案の詳細な説明】
【技術分野】
【０００１】
本考案は光源に害虫を誘引して、吸引手段により効率よく捕獲する害虫捕獲器に関する。
【背景技術】
【０００２】
蝿や蚊、蛾、羽アリ等の害虫は不快害虫として嫌われており、これら害虫が例えば食品加工所や飲食店、工場、量販店、コンビニ等の施設に侵入すると不衛生なばかりか、製品等に混入した場合、返品や不良品の原因となると共に、食品加工所等の場合は、たとえ１個の製品に害虫が混入しても、同じロットで生産した製品の全てを回収する事態が生じ、経済的に大きな損失となる問題がある。
このため、これらの施設では建屋を密閉して外部から屋内へ害虫が侵入するのを防止する等の対策を講じているが、光に集まる習性のある害虫の場合、建屋を密閉構造にしても、僅かな隙間から光に誘引されて屋内へ侵入することがあり、また建屋へ人が出入りする際、人に付着して屋内へ侵入することがよくある。
また屋内に一旦侵入した害虫は、殺虫剤等を使用して駆除することになるが、食品加工場や飲食店、コンビニ等のように主に食品を扱う施設では、殺虫剤を使用して害虫を駆除することはできない問題がある。
【０００３】
一方誘引灯に害虫を誘引し、ファンで吸引して捕虫袋に捕獲する捕虫器が例えば特許文献１で提案されている。
前記特許文献１に記載の捕虫器は、誘引灯により誘引した害虫を、間欠駆動される大型のファンにより吸引して捕虫袋内に捕獲するように構成されている。
また捕虫袋の後部には、ファンの回転とともに風圧により拡開するロート状の閉塞手段が設けられていて、ファンにより吸引された害虫は、拡開された閉塞手段を通過して捕虫袋内に捕獲されるようになっており、ファンが停止すると自動的に閉塞手段が閉塞されて、捕虫袋内に捕獲された害虫は、捕虫袋内より逃げ出せないようになっている。
さらに前記構成された捕虫器では、大型ファンを間欠回転させることにより、ファンの停止害虫が違和感なく集まってくるので、飛来する害虫を効率よく捕獲できる上、捕獲された害虫から発せられるフェロモンを大型ファンにより周囲へ飛散させることができるため、効率よくかつ広範囲に害虫を誘引できる等の効果もある。
【特許文献１】実開平６−３３４７２号公報
【考案の開示】
【考案が解決しようとする課題】
【０００４】
しかし前記特許文献１に記載の捕虫器では、害虫を吸引するのに大型のファンを使用していることから、装置全体が大型となる。
このため果樹園や牛舎、鶏舎等で使用する際には特に問題は生じないが、一般の家庭や飲食店、コンビニ等で使用する場合、設置するのに広い場所を必要とするため実用的でない上、捕虫器自体の価格も高くなる等の問題がある。
また大型ファンで送風され、かつ捕虫袋を通過した多量の空気が周囲へと飛散されるため、害虫が捕獲された害虫に寄生したダニや雑菌、蛾等から剥がれ落ちた鱗粉、害虫から発生されたフェロモン等が空気とともに広い範囲に拡散され、主に食品を取り扱う施設には採用できなかったり、アレルギー等の持病がある利用者には敬遠される等の問題がある。
さらに捕虫袋の後部に設けられた閉塞手段は、メッシュや網体等の通気性透過部材により形成されているため、風圧により閉塞手段を押し開く際、空気中の小さい害虫が閉塞手段に付着堆積して閉塞手段の自動閉塞を妨げることがあり、捕虫袋に捕獲した害虫が逃げ出すのを確実に防止できないと共に、捕虫袋を交換する際閉塞手段も一緒に交換する必要があるため、経費が嵩む等の問題がある。
本考案はかかる問題を改善するためになされたもので、一般の家庭や飲食店、コンビニ等に容易に設置でき、しかも害虫が効率よく捕獲できる小型の害虫捕獲器を簡単な構成で安価に提供することを目的とするものである。
【課題を解決するための手段】
【０００５】
本考案の害虫捕獲器は、下面に害虫を誘引する光源が取り付けられた上部ケースと、上部ケースの下方に設けられた下部ケースと、上下部ケースの間に開口された害虫侵入口と、下部ケース内に設置され、かつ光源に誘引された害虫を空気とともに吸引する電動ファンよりなる吸引手段と、吸引手段の下部に上端部が接続された筒状ケースを有し、かつ吸引手段により吸入された空気の風圧により開放されると共に、吸引手段の停止とともに閉鎖されるシャッタ板が筒状ケース内に設けられたシャッタ手段と、害虫侵入口に光源を囲むように設けられ、かつ害虫侵入口より吸入される空気を前記吸引手段方向へガイドするガイド手段と、筒状ケースの下部に着脱自在に取り付けられ、かつ吸引手段より排出された空気中より害虫を捕獲する通気性を有する捕虫袋とから構成したものである。
【０００６】
前記構成により、吸引手段により空気とともに吸引された害虫は、筒状ケース内を通って捕虫袋内へと排出されて捕獲されるため、光源に誘引された害虫を効率よく捕獲することができると共に、捕集袋内を通過した空気中に害虫に寄生したダニや雑菌が含まれていたり、蛾等の害虫から剥がれ落ちた鱗粉等が混入していても、捕虫袋内を通過した空気が広範囲に拡散されることがないため、主に食品を取り扱う施設に採用することができる上、アレルギー等の持病がある利用者であっても安心して使用することができる。
また捕獲された害虫を廃棄処理する場合は、吸引手段をオフにすることにより、いままで開放状態にあったシャッタ板により筒状ケースの上面開口が閉鎖されて吸引手段が吸引力を失っても吸引手段側へ害虫が逃げ出すのをシャッタ板により阻止することができるため、捕虫袋内に捕獲した害虫うち生存している害虫がいても、捕虫袋内より逃げ出すのを確実に防止することができる上、シャッタ板に害虫が付着堆積することがないため、従来の捕虫袋と閉塞手段を同時に交換するものに比べて大変経済的である。
さらに害虫捕獲器全体を小型に製作することができるため、設置スペースに制限のある一般の家庭や飲食店、コンビニ等にも容易に設置することができる上、構成が簡単なため安価に提供することもできる。
【０００７】
本考案の害虫捕獲器は、シャッタ板を軽量な薄板より形成し、かつシャッタ板の偏心位置を回転軸に固着して、回転軸を中心にシャッタ板が回動するよう回転軸の両端側を筒状ケースに支承すると共に、シャッタ板の偏心側に、シャッタ板を水平方向へ復帰させるバランサを設けたたものである。
【０００８】
前記構成により、運転停止時シャッタ板を閉鎖位置に復帰させる開閉手段を設ける必要がないため、シャッタ手段が安価に得られるようになる。
【０００９】
本考案の害虫捕獲器は、ガイド手段を、中心側へ順次低く傾斜するテーパ面を有する複数の環状ガイド板と、前記ガイド板を支持する複数の支柱より形成し、かつ前記各ガイド板を指が入りにくい間隔で前記支柱に固着したものである。
【００１０】
前記構成により、各ガイド板により害虫侵入口周辺の外気を効率よく吸引手段側へガイドすることができるため、捕虫効率が向上する上、光源や電動ファンに指等が触れるのを未然に防止できるため、安全性が高い。
【００１１】
本考案の害虫捕獲器は、下部ケースに、捕虫袋の周囲を覆う蛇腹状のカバーを設けたものである。
【００１２】
前記構成により、カバーにより補虫袋内に捕獲された蝿や蚊、蛾、羽アリ等の不快害虫が外部から見えにくくなるため、不快感を軽減することができる。
【考案の効果】
【００１３】
本考案の害虫捕獲器によれば、捕集袋内を通過した空気中に害虫に寄生したダニや雑菌が含まれていたり、蛾等の害虫から剥がれ落ちた鱗粉等が混入していても、捕虫袋内を通過した空気が筐体外へ排出されることがないため、主に食品を取り扱う施設に採用することができる上、アレルギー等の持病がある利用者であっても安心して使用することができる。
また害虫捕獲器全体を小型に製作することができるため、設置スペースに制限のある一般の家庭や飲食店、コンビニ等にも容易に設置することができる上、構成が簡単なため安価に提供することもできる。
【考案を実施するための最良の形態】
【００１４】
本考案の実施の形態を、図面を参照して詳述する。
図１は害虫捕獲器の正面図、図２は図１のＡ−Ａ線に沿う断面図、図３は吸引手段付近の一部切欠斜視図、図４は図２のＢ円内の拡大図、図５及び図６は作用説明図である。
図１に示す害虫捕獲器の本体１は、上部ケース２及び下部ケース３と、上部ケース２と下部ケース３の間に設けられた害虫侵入口４と、下部ケース３内に設けられた吸引手段５及びシャッタ手段６とからなり、本体１全体が上下方向に長いコンパクトな筒状となっている。
上部ケース２は、上ケース２ａと下ケース２ｂとからなり、下ケース２ｂに上ケース２ａを上方から嵌合した状態で、ビス等の固着具２ｆにより上ケース２ａと下ケース２ｂの間が固定されており、上ケース２ａの中心部には、紐や鎖等の紐状物８を結着して吊り下げるための吊り具９が設けられている。
【００１５】
上ケース２ａの中心よりやや外れた位置には、コード引き込み口２ｃが形成されていて、このコード引き込み口２ｃより電源コード１０の一端側が引き込まれており、電源コード１０の途中には電源スイッチが、そして他端側には、商用電源へ接続されるためのプラグ（何れも図示せず）が設けられている。
コード引き込み口２ｃより上部ケース２内に引き込まれた電源コード１０の一端側は、上部ケース２内で２路に分岐され、一方１０ａは上部ケース２の下面に設置された光源１２に、他方１０ｂは、害虫侵入口４に設けられた後述するガイド手段１３の中空な支柱１３ｂ内を通って下部ケース３内に配線され、下部ケース３内に設けられた吸引手段５の電動モータ５ｂに接続されている。
【００１６】
下ケース２ｂの底板２ｄ下面には、ほぼ中心部にソケット１２ａが固着されていて、このソケット１２ａに電球型の光源１２が着脱自在に取り付けられている。
光源１２は、害虫が好む波長、例えば３００〜４００ｎｍに光波長成分のピークを持つ誘引光を放射する蛍光灯よりなり、光源１２が切れたり、寿命で照度が低下した場合に、上部ケース２を取り外すことにより新しい光源１２と簡単に交換できるようになっている。
下部ケース３は、上部ケース２の外径とほぼ等しい外径の筒状体からなり、上端よりやや下方の内部に、円環状の支持板３ａが設けられている。
上部ケース２と下部ケース３の間に設けられた害虫侵入口４は、光源１２に誘引された害虫が本体１内へ侵入するためのもので、害虫侵入口４には、外気の流入を円滑にすると同時に、光源１２に手などが直接触れるのを防止するガイド手段１３が設けられている。
【００１７】
ガイド手段１３は、図２に示すように例えば金属パイプよりなる複数の支柱１３ｂと、これら支柱１３ｂに嵌挿された複数板のガイド板１３ａとからなる。
各支柱１３ｂの上端部は、下ケース２ｂの底板２ｄを貫通した状態でナット１３ｃにより底板２ｄに固着され、各支柱１３ｂの下端は、下部ケース３の支柱板３ａに螺着されている。
各支柱１３ｂは本体１の円周方向にほぼ等間隔に配置されていて、ガイド板１３ａに穿設された複数の取り付け孔１３ｄがこれら支柱１３ｂに嵌挿されている。
各ガイド板１３ａは、図２に示すように中央に円孔１３ｅが開口され、かつ外周縁側から円孔１３ｅ側へ順次低くなるよう傾斜するテーパ状の環状板よりなり、各支柱１３ｂにほぼ等間隔に嵌着されており、各ガイド板１３ａの間隔は、子供の指が入らない程度で、かつ蛾等の比較的大型の害虫が侵入できる程度に設定されている。
【００１８】
下部ケース３内に設置された吸引手段５は、ケーシング５ａ内に電動モータ５ｂにより回転されるファン５ｃが設けられていて、ケーシング５ａの上面が下部ケース３の支持板３ａ下面に固着されており、光源１２に誘引されて害虫侵入口４より侵入した害虫を、電動モータ５ｂにより回転されるファン５ｃにより、吸引手段５の下側に設けられたシャッタ手段６の筒状ケース６ａ内へ吸引するようになっている。
シャッタ手段６は筒状ケース６ａと、筒状ケース６ａ内に設けられたシャッタ板６ｂとからなり、筒状ケース６ａの上端部が吸引手段５のケーシング５ａ下面に接続されている。
【００１９】
シャッタ手段６のシャッタ板６ｂは、図３に示すように筒状ケース６ａの内径よりやや小径な円板よりなり、全体がプラスチックのような軽量な材料により薄板状により形成されており、中心より偏心した位置が回転軸６ｃに固着されている。
回転軸６ｃは、水平となるよう両端が筒状ケース６ａに支承されていて、回転軸６ｃを中心にシャッタ板６ｂが回動自在となっており、回転軸６ｃの両端側には、シャッタ板６ｂの外周縁が筒状ケース６ａの内周面に接触しないように両者の間に微小な隙間を形成する球状のスペーサ６ｄが嵌装されている。
【００２０】
またシャッタ板６ｂには、偏心側にバランサ６ｅが設けられている。
バランサ６ｅは、回転軸６ｃにより偏心位置が支持されたシャッタ板６ｂを水平位置に復帰させるもので、吸引手段５が停止されて筒状ケース６ａ内が無風となったときにシャッタ板６ｂが自動的に水平位置に復帰できるようになっており、筒状ケース６ａの内周面には、シャッタ板６ｂに当接したシャッタ板６ｂを水平位置に停止させるストッパ６ｆが突設されている。
シャッタ手段６の筒状ケース６ａには、下部外周に係止部６ｇが突設されていて、この係止部６ｇに補虫袋１５の開口部１５ａが係止されている。
【００２１】
係止部６ｇは、図４に示すように筒状ケース６ａの外周面に突設された突条や、図示しない凹溝等からなり、補虫袋１５の開口部１５ａに予め挿通された輪ゴム等の係止手段１５ｂにより開口部１５ａを係止することにより、吸引手段５より補虫袋１５内に風圧を受けても補虫袋１５が脱落しないようになっている。
補虫袋１５は、小さな害虫が通り抜けられないような目の細い網体や不織布等の通気性を有する素材により袋状に形成されていて、捕獲した害虫とともに廃棄処分できるようになっている。
【００２２】
一方下部ケース３の下部には、蛇腹状のカバー１６が取り付けられている。
このカバー１６は、補虫袋１５内に捕獲された害虫が外から見えないよう補虫袋１５の周囲を覆うもので、軟質の樹脂により下部ケース３とほぼ同径に形成されており、伸長した際補虫袋１５の下部が見えない長さに設定されている。
また補虫袋１５を交換する際は、図６に示すように収縮することにより、補虫袋１５の交換が容易に行えるようになっている。
【００２３】
次に前記害虫捕獲器の作用を説明すると、害虫捕獲器の設置場所としては、一般家庭の室内、食品加工場や飲食店、コンビニ等の食品や製品に害虫が混入しては困る場所、人に不快感を与えては困る場所等に適しており、害虫捕獲器自体を小型に製作することができるため、特に設置スペースに制限のあるに一般の家庭や飲食店、コンビニ等に最適であるが、設置場所に制限はなく、屋外やビニールハウス等の施設に設置しても勿論よい。
害虫捕獲器を屋内に設置するに当たって、天井に設置された照明器具に集まる害虫が効率よく捕獲できるように、本体１の上部に設けた光源１２が天井付近となるように、上部ケース２に設けた吊り具９に紐状物８を結着して本体１を天井等から吊り下げる。
【００２４】
本体１の取り付けが完了したら、下部ケース３の下部に取り付けた蛇腹状のカバー１６を図６に示す位置まで収縮して、予め用意した捕虫袋１５の開口部１５ａを筒状ケース６ａの下端側外周に嵌装し、開口部１５ａの外周をゴム輪等の係止手段１５ｂで筒状ケース６ａの外周面に突設された係止部６ｇに係止することにより、吸引手段５より風圧が捕虫袋１５の内側から下方向へ作用しても捕虫袋１５がずれ落ちるのを防止することができる。
捕虫袋１５の取り付けが完了したら、カバー１６を元の位置まで伸張した後、電源コード１０の途中に設けた電源スイッチをオンにすると、光源１２が点灯されると同時に吸引手段５の電動モータ５ｂが回転し、ファン５ｃによる送風が開始される。
【００２５】
電動モータ５ｂによりファン５ｃが回転されることにより、吸引手段５によって光源１２周辺の空気が下部ケース３内へ吸引されるため、天井付近の空気が害虫侵入口４より吸入される。
害虫侵入口４には下向きに傾斜する複数のガイド板１３ａが上下方向にほぼ等間隔に設けられていて、害虫侵入口４へ吸入される空気はこれらガイド板１３ａのガイド作用により下向き方向の流れに整流されるため、吸引能力の小さい吸引手段５でも効率よく害虫侵入口４周辺の外気を取り込むことができると共に、害虫侵入口４内へ吸引された空気は、ガイド板１３ａの整流作用により増速されて吸引手段５へと吸入されるため、光源１２周辺の空気をほぼ均一に吸引することが可能になる。
【００２６】
また光源１２には害虫が好む波長の誘引光を発生する蛍光灯のような電球を使用していることから、屋内に設置された照明器具に誘引されて屋内へ侵入した害虫も光源１２へと誘引されて光源１２付近に達すると、害虫侵入口４に吸入された空気とともに吸引手段５に吸引される。
【００２７】
一方吸引手段５の下方に設置されたシャッタ手段６は、今までバランサ６ｅの作用で閉鎖されていたシャッタ板６ｂにファン５ｃにより送風される空気の風圧（図５の矢印Ｃ）を受けると、回転軸６ｃを中心にほぼ９０度回動して開放されるため、吸引手段５により空気とともに吸引された害虫は、筒状ケース６ａ内を通って捕虫袋１５内へと排出されることにより、網体や不織布等により形成された捕虫袋１５に害虫のみが捕獲され、空気は図５の矢印Ｄに示すように捕虫袋１５を通過した後、カバー１６の下部開口より屋内へ排出されるため、光源１２に誘引された害虫を効率よく捕虫袋１５内に捕獲することができる。
【００２８】
また長時間運転している間に捕獲袋１５内に害虫がある程度溜まったら、捕虫袋１５に捕獲された害虫を捕虫袋１５ごと廃棄処理するが、廃棄処理に当って、まず電源スイッチにより光源１２及び吸引手段５をオフにすると、吸引手段５による送風が停止されて、今まで風圧により開放位置にあったシャッタ板６ｂがバランサ６ｅの作用で水平位置へ回動され、筒状ケース６ａの上面開口がシャッタ板６ｂにより閉鎖される。
これによって捕虫袋１５に捕獲された害虫の一部が生存していても、オフによって吸引を停止した吸引手段５側へ害虫が逃げ出すのをシャッタ板６ｂが阻止するため、捕虫袋１５内に捕獲した害虫うち生存している害虫が捕虫袋１５より逃げ出すのを確実に防止することができる。
【００２９】
光源１２が消灯し、吸引手段５が完全に停止したら、カバー１６を図６に示す位置まで収縮させて捕虫袋１５を露出させた状態で、捕虫袋１５の開口部１５ａを手で絞りながら筒状ケース６ａの下部より捕虫袋１５を取り外し、係止手段１５ｂにより捕虫袋１５の開口部１５ａを閉じた状態で廃棄することにより、捕獲した害虫を逃がすことなく捕虫袋１５ごと廃棄処理することができる。
また新らしい捕虫袋１５を筒状ケース６ａの下部に取り付けたら、カバー１６を図１に示す位置まで伸張して再び害虫捕獲器の運転を開始することにより、引き続き害虫を捕獲することができるようになる。
【００３０】
なお前記実施の形態では、カバー１６を蛇腹状に形成したが、下部ケース３の外周面に沿って上下摺動自在な筒状のカバーを設けても同様な効果が得られる。
また電源コード１０の途中に電源スイッチを設けた例について説明したが、本体１の一部、例えば下部ケース３に電源スイッチを設けるようにしても勿論よい。
【図面の簡単な説明】
【００３１】
【図１】本考案の実施の形態になる害虫捕獲器の正面図である。
【図２】図１のＡ−Ａ線に沿う断面図である。
【図３】本考案の実施の形態になる害虫捕獲器の吸引手段付近の一部切欠斜視図である。
【図４】図２のＢ円内の拡大図である。
【図５】本考案の実施の形態になる害虫捕獲器の運転時の作用説明図である。
【図６】本考案の実施の形態になる害虫捕獲器の運転時の作用説明図である。
【符号の説明】
【００３２】
１    本体
２    上部ケース
３    下部ケース
４    害虫侵入口
５    吸引ファン
６    シャッタ手段
６ｂ    シャッタ板
６ｃ    回転軸
６ｅ    バランサ
１２    光源
１３    ガイド手段
１３ａ    ガイド板
１３ｂ    支柱
１５    捕虫袋
１６    カバー
【図１】
0003139542.tif 000003
【図２】
0003139542.tif 000004
【図３】
0003139542.tif 000005
【図４】
0003139542.tif 000006
【図５】
0003139542.tif 000007
【図６】
0003139542.tif 000008